(57)【要約】【課題】夜間においても視認が容易な踏切警標を提供する。【解決手段】踏切警標は、警標板１１０と、発光ユニット１２０とを備える。発光ユニット１２０は、ＬＥＤ基板１２１と、導光部１２２とを備える。導光部１２２は、ＬＥＤ基板１２１に実装されたＬＥＤが発生した光を、警標板１１０の背面側から正面側に導波するためのものであって、透明の材料（例えば、無色透明のアクリル樹脂）で構成されており、導光部１２２の発光面（出射面）は、警標板１１０の輪郭に沿って延びるように配置されている。ＬＥＤによって発生された光は、導光部１２２の一方の端部１２２１から導光部１２２内に入射され、導光部１２２内に入射された光は、外部の空気との界面で適宜全反射されながら、導光部１２２内を進み、導光部１２２の他方の端部１２２２，１２２３から出射される。【選択図】図６
2019031209.tif 000002
【特許請求の範囲】
【請求項１】
警標板と、
当該警標板の背面側に配置された光源部と、
当該光源部によって発生された光を表面側に導波する導光部と
を備え、
前記導光部の発光面は、前記警標板の縁に沿って延びるように配置されている
ことを特徴とする踏切警標。
【請求項２】
前記導光部の発光面は、前記警標板の形状が認識可能なように配置されている
ことを特徴とする請求項１に記載の踏切警標。
【請求項３】
前記警標板は、×印状の形状を有し、
前記導光部の発光面は、×印状の形状の輪郭の一部を構成するように配置されている
ことを特徴とする請求項１又は２に記載の踏切警標。
【請求項４】
前記導光部は、正面方向に発光する発光面と、側面方向に発光する発光面とを有する
ことを特徴とする請求項１〜３のいずれか一項に記載の踏切警標。
【請求項５】
前記導光部は、前記警標板と平行な方向に延びる中間部と、前記警標板と垂直な方向に延びる出射部とを備える
ことを特徴とする請求項１〜４のいずれか一項に記載の踏切警標。
【請求項６】
前記導光部は、前記警標板と垂直な方向に延びる入射部を更に備える
ことを特徴とする請求項５に記載の踏切警標。
【請求項７】
前記光源部は、複数の発光素子を備えており、
当該複数の発光素子は、前記入射部の入射面に対向するように配置されている
ことを特徴とする請求項６に記載の踏切警標。
【発明の詳細な説明】
【技術分野】
【０００１】
本発明は、踏切に設置される踏切警標に関する。
【背景技術】
【０００２】
鉄道と道路が平面交差する踏切（道）には、通常、道路通行者に踏切の存在を知らせるための標識として、踏切警標（クロスマーク）が設置されている。踏切警標は、一般には、×印状に配置された金属板で構成されており、塗装等により黒及び黄の縞模様が付されている。
【０００３】
踏切警標は、目立つように、踏切警報機の警報機柱の上方等に取り付けられているが、通常の踏切警標は、単に、金属板を×印状に配置しただけのものなので、夜間においては視認が困難であった。
【０００４】
なお、特開平１１−３２１６５３号公報には、Ａ系断続点灯回路に接続された多数のＡ系発光ランプと、Ｂ系断続点灯回路に接続された多数のＢ系発光ランプとを、標識板上にＸ字形が形成されるように、それぞれ１個ずつ交互に配列し、Ａ系発光ランプとＢ系発光ランプとが、同期して断続点灯するように構成した２重系構造の発光式踏切標識が開示されている。
【先行技術文献】
【特許文献】
【０００５】
【特許文献１】特開平１１−３２１６５３号公報
【発明の概要】
【発明が解決しようとする課題】
【０００６】
本発明の目的は、夜間においても視認が容易な踏切警標を提供することにある。
【課題を解決するための手段】
【０００７】
本発明に係る踏切警標は、警標板と、当該警標板の背面側に配置された光源部と、当該光源部によって発生された光を表面側に導波する導光部とを備え、前記導光部の発光面は、前記警標板の縁に沿って延びるように配置されていることを特徴とする。
【０００８】
この場合において、前記導光部の発光面は、前記警標板の形状が認識可能なように配置されているようにしてもよい。また、前記警標板は、×印状の形状を有し、前記導光部の発光面は、×印状の形状の輪郭の一部を構成するように配置されているようにしてもよい。
【０００９】
また、以上の場合において、前記導光部は、正面方向に発光する発光面と、側面方向に発光する発光面とを有するようにしてもよい。
【００１０】
また、以上の場合において、前記導光部は、前記警標板と平行な方向に延びる中間部と、前記警標板と垂直な方向に延びる出射部とを備えるようにしてもよい。この場合において、前記導光部は、前記警標板と垂直な方向に延びる入射部を更に備えるようにしてもよい。更に、前記光源部は、複数の発光素子を備えており、当該複数の発光素子は、前記入射部の入射面に対向するように配置されているようにしてもよい。
【発明の効果】
【００１１】
本発明によれば、夜間においても視認が容易な踏切警標が提供される。
【図面の簡単な説明】
【００１２】
【図１】本発明による踏切警標の構成を説明するための正面図である。
【図２】本発明による踏切警標の構成を説明するための背面図である。
【図３】本発明による踏切警標の構成を説明するための側面図である。
【図４】本発明による踏切警標の構成を説明するための平面図及び底面図である。
【図５】図１のＡ−Ａ部分（発光ユニット装着部分）の拡大図である。
【図６】図５のＢ−Ｂ線拡大断面図である。
【図７】図５のＣ−Ｃ線拡大断面図である。
【図８】図７のＤ−Ｄ部分拡大図である。
【図９】発光面を構成する出射部の端面のみを表示した正面図である。
【図１０】接続箱内の回路構成を説明するための図である。
【発明を実施するための形態】
【００１３】
以下、本発明の実施の形態について、図面を参照しつつ詳細に説明する。
【００１４】
図１〜図４は、本発明による踏切警標の構成を説明するための図である。図１は正面図を示し、図２は背面図を示し、図３（ａ）は左側面図を示し、同図（ｂ）は右側面図を示し、図４（ａ）は平面図を示し、同図（ｂ）は底面図を示す。
【００１５】
図１〜図４に示すように、本発明による踏切警標１００は、警標板１１０と、発光ユニット１２０（１２０ａ〜１２０ｄ）と、接続箱１３０と、取付金具１４０とを備えている。
【００１６】
警標板１１０は、踏切警標１００の主要部を構成する部材（標識部）であって、×（バツ）印状に形成された金属板で構成されている。警標板１１０は、例えば、塗装等により、黒及び黄の縞模様が付されて使用される。
【００１７】
発光ユニット１２０は、踏切警標１００に発光機能を付加するためのものである。本実施形態においては、４つの発光ユニット１２０ａ〜１２０ｄが用意されており、各発光ユニット１２０ａ〜１２０ｄは、警標板１１０が形成する×印の各辺の背面側に配置されている。発光ユニット１２０の詳細については後述する。
【００１８】
接続箱１３０は、外部から電力を供給するための電源ケーブル（不図示）、及び、各発光ユニット１２０ａ〜１２０ｄに電力を供給するための分岐ケーブル１３１ａ〜１３１ｄが接続されるものであり、接続箱１３０の底面側には、電源ケーブルを接続するための給電用コネクタ１３２が設けられている。本実施形態においては、給電用コネクタ１３２を介して、外部からＤＣ２４Ｖが供給される。また、接続箱１３０の内部には、各発光ユニット１２０ａ〜１２０ｄに供給される電力を断続制御するための制御基板が設けられている。接続箱１３０内部の回路構成については後述する。
【００１９】
取付金具１４０は、踏切警標１００を、支柱（例えば、踏切警報機の警報機柱）１に取り付けるためのものである。取付金具１４０は、一対の挟持部材１４１，１４２と４本の固定ボルト１４３によって構成されており、一対の挟持部材１４１，１４２によって支柱１を挟持することによって、踏切警標１００が支柱１に取り付けられる。なお、警標板１１０は、一方（表面側）の挟持部材１４１に固定（ねじ留め）されている。
【００２０】
次に、発光ユニット１２０の詳細について説明する。
【００２１】
図５〜図８は、発光ユニット１２０の詳細を説明するための図である。図５は、図１のＡ−Ａ部分（発光ユニット装着部分）の拡大図を示し、図６は、図５のＢ−Ｂ線拡大断面図を示し、図７は、図５のＣ−Ｃ線拡大断面図を示し、図８は、図７のＤ−Ｄ部分拡大図を示す。
【００２２】
図６及び図７に示すように、発光ユニット１２０は、ＬＥＤ基板１２１と、導光部１２２とを備える。
【００２３】
ＬＥＤ基板１２１は、発光ユニット１２０の光源を構成する発光ダイオード（ＬＥＤ）が実装されるプリント基板であって、一方の面に複数のＬＥＤが表面実装されている。また、ＬＥＤ基板１２１には、各ＬＥＤに流れる電流を制限するための複数のチップ抵抗（不図示）も表面実装されている。
【００２４】
本実施形態においては、ＬＥＤ基板１２１には、６０個（３０個×２列）のＬＥＤが実装されており、３０個のＬＥＤが発光ユニット１２０の長手方向に並ぶと共に、２個のＬＥＤが発光ユニット１２０の短手方向に並ぶように配置されている。また、ＬＥＤとしては、橙黄色のチップＬＥＤを使用している。また、複数のＬＥＤは、電気的には、ＬＥＤ基板１２１内において、まず、５個ずつが直列に接続されて１２（＝６０／５）個のＬＥＤ列が形成され、更に、１２個のＬＥＤ列が並列に接続されている。また、各ＬＥＤ列には、ＬＥＤに流れる電流を制限するためのチップ抵抗が直列に接続されている。
【００２５】
各発光ユニット１２０を発光させる際は、各分岐ケーブル１３１ａ〜１３１ｄを介して外部から電力（本実施形態においては、ＤＣ２４Ｖ）が供給されることになるが、ＬＥＤ基板１２１に実装されたＬＥＤは、外部から電力が供給されると、すべてが同時に点灯し、外部からの電力の供給が停止されると、すべてが同時に消灯するように構成されている。すなわち、外部からの電力の供給が断続されることで、ＬＥＤ基板１２１に実装されたＬＥＤが同時に点滅することになる。
【００２６】
導光部１２２は、ＬＥＤ基板１２１に実装されたＬＥＤが発生した光を、警標板１１０の背面側から正面側に導波するためのものであって、透明の材料（本実施形態においては、無色透明のアクリル樹脂）で構成されている。ＬＥＤによって発生された光は、導光部１２２の一方の端部（入射部）から導光部１２２内に入射され、導光部１２２内に入射された光は、外部の空気との界面で適宜全反射されながら、導光部１２２内を進み、導光部１２２の他方の端部（出射部）から出射されることになる。
【００２７】
図６及び図７に示すように、導光部１２２は、光を入射させるための入射部１２２１と、光を出射させるための一対の出射部１２２２，１２２３と、入射部１２２１と出射部１２２２，１２２３とを連結する中間部１２２４，１２２５とを備える。入射部１２２１、出射部１２２２，１２２３及び中間部１２２４，１２２５はそれぞれ、発光ユニット１２０の長手方向に延在する平板状の形状を概ね有している。更に、図６に示すように、中間部１２２４，１２２５が、警標板１１０と平行な方向に延びるように配置されると共に、入射部１２２１が中間部１２２４，１２２５の一方（内側）の端部に連結されて、警標板１１０と垂直な方向（背面方向）に延びるように配置され、一対の出射部１２２２，１２２３が中間部１２２４，１２２５の他方（外側）の端部に連結されて、警標板１１０と垂直な方向（正面方向）に延びるように配置される。
【００２８】
導光部１２２の入射部１２２１は、ＬＥＤ基板１２１に実装されたＬＥＤの上方（真上）に配置されており、ＬＥＤによって発生された光が効率よく入射部１２２１の端面（入射面）に入射されるようになっている。また、導光部１２２の出射部１２２２，１２２３は、警標板１１０の縁、より具体的には、警標板１１０が形成する×印の各辺の両側の縁に沿って延びるように配置されている。
【００２９】
また、図６に示すように、入射部１２２１と中間部１２２４，１２２５との連結部、及び、中間部１２２４，１２２５と出射部１２２２，１２２３との連結部は、外側の屈曲面（屈曲部分の外側面）が滑らかな曲面を構成するように形成されており、入射部１２２１内を進む光が効率よく中間部１２２４，１２２５へ導波されると共に、中間部１２２４，１２２５内を進む光が効率よく出射部１２２２，１２２３へ導波されるようになっている。但し、各屈曲部分（各連結部）において、一部の光については、屈曲する方向に導波されずに直進することになる。
【００３０】
入射部１２２１の端面（入射面）から入射された光は、中間部１２２４，１２２５を介して、出射部１２２２，１２２３に導波され、最終的に、出射部１２２２，１２２３の端面（出射面）から出射されることなる。すなわち、出射部の端面が、正面方向へ発光する発光面を構成することになる。
【００３１】
図９は、発光面を構成する出射部の端面のみを表示した正面図である。同図に示すように、発光面を構成する出射部の端面は、警標板１１０の輪郭に沿って延びるように配置されているため、夜間においても、警標板１１０の形状（×印状の形状）が視認可能になる。
【００３２】
また、前述したように、本実施形態においては、中間部１２２４，１２２５内を進む光の一部については、中間部１２２４，１２２５と出射部１２２２，１２２３との連結部において、出射部１２２２，１２２３方向に導波されず直進することになる。その結果、踏切警標１００においては、正面方向のみならず、側面方向にも発光することとなり、夜間における側面からの視認も容易になっている。
【００３３】
図１０は、接続箱１３０内の回路構成を説明するための図である。
【００３４】
同図に示すように、電源入力端子（給電用コネクタ１３２）を介して外部から入力される電力（本実施形態においては、ＤＣ２４Ｖ）は、断続回路１０１０を介して、分岐出力端子Ａ〜Ｄに出力される。分岐出力端子Ａ〜Ｄには、それぞれ分岐ケーブル１３１ａ〜１３１ｄが接続されており、各分岐ケーブル１３１ａ〜１３１ｄを介して、各発光ユニット１２０に電力が供給される。
【００３５】
断続回路１０１０は、各発光ユニット１２０に供給する電力を断続制御するための制御回路であって、接続箱１３０内に設けられた制御基板に実装されている。本実施形態においては、断続回路１０１０は、約１秒間の電力供給と約１秒間の電力供給停止を繰り返す。このような断続回路１０１０を介して電力供給を行うことにより、各発光ユニット１２０は、所定（本実施形態においては、毎分約３０回）の周期で点滅することになる。断続回路１０１０は、例えば、無安定（非安定）マルチバイブレータと電界効果トランジスタ（ＦＥＴ）等によって構成される。
【００３６】
本実施形態においては、発光ユニット１２０を常時発光させるのではなく、所定の周期で点滅させるようにしているので、省電力で動作させることが可能となっており、一定の時間（例えば、夜間）、バッテリによる電力供給のみで動作させることも可能となっている。
【００３７】
以上、詳細に説明したように、上述した踏切警標１００は、発光ユニット１２０を備えており、発光ユニット１２０の発光部分（発光面）が、警標板１１０の輪郭に沿って延びるように配置されているので、夜間においても、警標板１１０の形状を視認することが可能となり、その結果、夜間においても、道路通行者に踏切の存在を知らせることが可能となっている。
【００３８】
以上、本発明の実施形態について説明してきたが、当然のことながら、本発明の実施形態は上記のものに限られない。例えば、上述した実施形態においては、発光ユニット１２０（内のＬＥＤ）を点滅させるようにしていたが、発光ユニット１２０（内のＬＥＤ）を常時発光させるようにすることも考えられる。
【符号の説明】
【００３９】
１    支柱
１００    踏切警標
１１０    警標板
１２０，１２０ａ〜１２０ｄ    発光ユニット
１２１    ＬＥＤ基板
１２２    導光部
１２２１    入射部
１２２２，１２２３    出射部
１２２４，１２２５    中間部
１３０    接続箱
１３１ａ〜１３１ｄ    分岐ケーブル
１３２    給電用コネクタ
１４０    取付金具
１４１，１４２    挟持部材
１４３    固定ボルト
１０１０    断続回路
【図１】
2019031209.tif 000003
【図２】
2019031209.tif 000004
【図３】
2019031209.tif 000005
【図４】
2019031209.tif 000006
【図５】
2019031209.tif 000007
【図６】
2019031209.tif 000008
【図７】
2019031209.tif 000009
【図８】
2019031209.tif 000010
【図９】
2019031209.tif 000011
【図１０】
2019031209.tif 000012